(57)【要約】【課題】  テレビ放送を受信するチャンネル設定時に、受信電波のないチャンネル、或いは微弱電波のチャンネルを受信したとき、ユーザがキー操作によりスーパーインポーズ画面とブルーバック画面とを切り換えることができるとともに、音声出力のＯＮ／ＯＦＦを切り換えることができるようにする。【解決手段】  チャンネル設定時に、スーパーインポーズ画面とブルーバック画面との切り換えを指令する第１の操作キーが操作される毎に、スーパーインポーズ画面とブルーバック画面とを交互に切り換え、音声出力のＯＮ／ＯＦＦの切り換えを指令する第２の操作キーが操作される毎に、音声出力のＯＮ／ＯＦＦを交互に切り換えるようにする。【選択図】        図１
2005073192.tif 000002
【特許請求の範囲】
【請求項１】
選択されたチャンネルのテレビ放送を受信するチューナと、前記チューナにより受信されたテレビ放送の映像音声信号を検波して増幅する検波増幅回路と、前記検波増幅回路により検波増幅された映像音声信号を増幅して出力する出力回路と、前記出力回路により出力された映像信号に文字情報信号を重畳してスーパーインポーズ画面を表示するとともに、青色背景信号に文字情報信号を重畳してブルーバック画面を表示するＯＳＤ回路とを備えた放送受信装置であって、
スーパーインポーズ画面とブルーバック画面との切り換えを指令する操作キーであって、ユーザが予め設定した、チャンネル設定時に使用しない第１の操作キーと、チャンネル設定時に、前記第１の操作キーが操作される毎に、前記ＯＳＤ回路を制御して、スーパーインポーズ画面とブルーバック画面とを交互に切り換える画面切換制御手段と、音声出力のＯＮ／ＯＦＦの切り換えを指令する操作キーであって、ユーザが予め設定した、チャンネル設定時に使用しない第２の操作キーと、チャンネル設定時に、前記第２の操作キーが操作される毎に、前記出力回路を制御して、音声出力のＯＮ／ＯＦＦを交互に切り換える音声切換制御手段とを備えたことを特徴とする放送受信装置。
【請求項２】
選択されたチャンネルのテレビ放送を受信するチューナと、前記チューナにより受信されたテレビ放送の映像音声信号を検波して増幅する検波増幅回路と、前記検波増幅回路により検波増幅された映像音声信号を増幅して出力する出力回路と、前記出力回路により出力された映像信号に文字情報信号を重畳してスーパーインポーズ画面を表示するとともに、青色背景信号に文字情報信号を重畳してブルーバック画面を表示するＯＳＤ回路とを備えた放送受信装置であって、
スーパーインポーズ画面とブルーバック画面との切り換えを指令する画面切換指令手段と、チャンネル設定時に、前記画面切換指令手段が操作される毎に、前記ＯＳＤ回路を制御して、スーパーインポーズ画面とブルーバック画面とを交互に切り換える画面切換制御手段とを備えたことを特徴とする放送受信装置。
【請求項３】
前記画面切換指令手段は、ユーザが予め設定した、チャンネル設定時に使用しない操作キーであることを特徴とする請求項２記載の放送受信装置。
【請求項４】
音声出力のＯＮ／ＯＦＦの切り換えを指令する音声切換指令手段と、チャンネル設定時に、前記音声切換指令手段が操作される毎に、前記出力回路を制御して、音声出力のＯＮ／ＯＦＦを交互に切り換える音声切換制御手段とを備えたことを特徴とする請求項２記載の放送受信装置。
【請求項５】
前記音声切換指令手段は、ユーザが予め設定した、チャンネル設定時に使用しない操作キーであることを特徴とする請求項４記載の放送受信装置。
【発明の詳細な説明】
【技術分野】
【０００１】
本発明は、テレビ放送を受信するチューナを有するビデオ装置、テレビ装置等の放送受信装置に係り、特に、チャンネル設定時に、受信電波のないチャンネル、或いは微弱電波のチャンネルを受信したとき、画面に表示された文字情報が乱れないようにすることができる放送受信装置に関する。
【背景技術】
【０００２】
従来、受信電波のないチャンネル、或いは微弱電波のチャンネルを受信したとき、画面に表示された映像が乱れ、映像にスーパーインポーズされた文字が乱れて見難くなるという問題点があった。特に、チャンネル設定時には、受信電波のないチャンネル、或いは微弱電波のチャンネル等を逐次選局して受信するため、受信電波のないチャンネル、或いは微弱電波のチャンネルを受信したとき、選局された受信チャンネルの画面に表示された映像が乱れ、映像にスーパーインポーズされた文字が乱れて見難くなるという問題点があった。
【０００３】
背景技術としては、受信信号のないチャンネルを選局した場合に表示される単色画像の表示を受信信号のあるチャンネルを選局した場合に解除する解除ボタンの操作することにより単色画像の表示状態を解除して受信チャンネルの映像を表示させるようにしたものがあった（例えば、特許文献１参照）。
【０００４】
また、テレビ放送電波を受信し、ビデオ信号の同期信号の有無を検出して、ビデオ信号の同期信号がない場合に、映像信号の輝度信号等を減衰させてノイズレベルを低減して、ノイズ画面に文字をオンスクリーン表示するようにしたものがあった（例えば、特許文献２参照）。
【０００５】
また、テレビ放送を受信して映像データ及び音声データを生成し、保存指示された映像のデータと音声のデータとを保存して、保存してある映像データを再生して画面に映像を表示するとともに、保存してある音声データを再生してスピーカから音声を出力するようにしたものがあった（例えば、特許文献３参照）。
【特許文献１】特開平７−３０７９０１号公報
【特許文献２】特開平６−１７８３１４号公報
【特許文献３】特開２００２−１２５１９５号公報
【発明の開示】
【発明が解決しようとする課題】
【０００６】
しかしながら、背景技術で述べたもののうち最初のものにおいては、受信信号のないチャンネルを選局した場合に表示される単色画像の表示を受信信号のあるチャンネルを選局した場合に解除する解除ボタンの操作することにより単色画像の表示状態を解除して受信チャンネルの映像を表示させることができたが、チャンネル設定時に、受信電波のないチャンネル、或いは微弱電波のチャンネルを受信したとき、ユーザがキー操作により映像に文字情報を重ねて表示するスーパーインポーズ画面と青色背景に文字情報を表示するブルーバック画面とを切り換えたり、スーパインポーズ画面で音声出力をＯＦＦに切り換えたり、或いはブルーバック画面で音声出力をＯＮに切り換えたりすることができないという問題点があった。
【０００７】
また、次のものにおいては、テレビ放送電波を受信し、ビデオ信号の同期信号の有無を検出して、ビデオ信号の同期信号がない場合に、映像信号の輝度信号等を減衰させてノイズレベルを低減して、ノイズ画面に文字をオンスクリーン表示することができたが、上記同様、チャンネル設定時に、受信電波のないチャンネル、或いは微弱電波のチャンネルを受信したとき、ユーザがキー操作によりスーパーインポーズ画面とブルーバック画面とを切り換えたり、スーパインポーズ画面で音声出力をＯＦＦに切り換えたり、或いはブルーバック画面で音声出力をＯＮに切り換えたりすることができないという問題点があった。
【０００８】
また、更にその次のものにおいては、テレビ放送を受信して映像データ及び音声データを生成し、保存指示された映像のデータと音声のデータとを保存して、保存してある映像データを再生して画面に映像を表示するとともに、保存してある音声データを再生してスピーカから音声を出力することができたが、上記同様、チャンネル設定時に、受信電波のないチャンネル、或いは微弱電波のチャンネルを受信したとき、ユーザがキー操作によりスーパーインポーズ画面とブルーバック画面とを切り換えたり、スーパインポーズ画面で音声出力をＯＦＦに切り換えたり、或いはブルーバック画面で音声出力をＯＮに切り換えたりすることができないという問題点があった。
【０００９】
本発明は、背景技術の有するこのような問題点に鑑みてなされたものであり、その目的とするところは、チャンネル設定時に、受信電波のないチャンネル、或いは微弱電波のチャンネルを受信したとき、ユーザがキー操作によりスーパーインポーズ画面とブルーバック画面とを切り換えることができるとともに、スーパーインポーズ画面で音声出力をＯＦＦに切り換え、或いはブルーバック画面で音声出力をＯＮに切り換えることができる放送受信装置を提供しようとするものである。
【課題を解決するための手段】
【００１０】
上記目的を達成するために、本発明における放送受信装置は、選択されたチャンネルのテレビ放送を受信するチューナと、前記チューナにより受信されたテレビ放送の映像音声信号を検波して増幅する検波増幅回路と、前記検波増幅回路により検波増幅された映像音声信号を増幅して出力する出力回路と、前記出力回路により出力された映像信号に文字情報信号を重畳してスーパーインポーズ画面を表示するとともに、青色背景信号に文字情報信号を重畳してブルーバック画面を表示するＯＳＤ回路とを備えた放送受信装置であって、スーパーインポーズ画面とブルーバック画面との切り換えを指令する画面切換指令手段と、チャンネル設定時に、前記画面切換指令手段が操作される毎に、前記ＯＳＤ回路を制御して、スーパーインポーズ画面とブルーバック画面とを交互に切り換える画面切換制御手段とを備える。
【００１１】
前記画面切換指令手段は、チャンネル設定時に使用しない操作キーであって、ユーザが任意に設定できるようにするとよい。
【００１２】
また、音声出力のＯＮ／ＯＦＦの切り換えを指令する音声切換指令手段と、チャンネル設定時に、前記音声切換指令手段が操作される毎に、前記出力回路を制御して、音声出力のＯＮ／ＯＦＦを交互に切り換える音声切換制御手段とを備える。
【００１３】
前記音声切換指令手段は、チャンネル設定時に使用しない操作キーであって、ユーザが任意に設定できるようにするとよい。
【００１４】
これらの手段により、チャンネル設定時に、受信電波のないチャンネル、或いは微弱電波のチャンネルを受信したとき、ユーザがキー操作によりスーパーインポーズ画面とブルーバック画面とを切り換えることができるとともに、スーパーインポーズ画面で音声出力をＯＦＦに切り換え、或いはブルーバック画面で音声出力をＯＮに切り換えることができる。
【発明の効果】
【００１５】
請求項１記載の発明に係る放送受信装置によれば、チャンネル設定時に、スーパーインポーズ画面とブルーバック画面との切り換えを指令するチャンネル設定時に使用しない操作キーであって、ユーザが任意に設定することができるようにした第１の操作キーが操作される毎に、ＯＳＤ回路を制御して、スーパーインポーズ画面とブルーバック画面とを交互に切り換え、音声出力のＯＮ／ＯＦＦの切り換えを指令するチャンネル設定時に使用しない操作キーであって、ユーザが任意に設定することができるようにした第２の操作キーが操作される毎に、出力回路を制御して、音声出力のＯＮ／ＯＦＦを交互に切り換えるようにしているので、チャンネル設定時に、受信電波のないチャンネル、或いは微弱電波のチャンネルを受信したとき、ユーザがキー操作によりスーパーインポーズ画面とブルーバック画面とを切り換えることができるとともに、スーパーインポーズ画面で音声出力をＯＦＦに切り換え、或いはブルーバック画面で音声出力をＯＮに切り換えることができる。
【００１６】
請求項２記載の発明に係る放送受信装置によれば、チャンネル設定時に、スーパーインポーズ画面とブルーバック画面との切り換えを指令する画面切換指令手段が操作される毎に、ＯＳＤ回路を制御して、スーパーインポーズ画面とブルーバック画面とを交互に切り換えるようにしているので、チャンネル設定時に、受信電波のないチャンネル、或いは微弱電波のチャンネルを受信したとき、ユーザがキー操作によりスーパーインポーズ画面とブルーバック画面とを切り換えることができる。
【００１７】
請求項３記載の発明に係る放送受信装置によれば、チャンネル設定時に使用しない操作キーをユーザが任意に画面切換キーに設定できるようにしているので、チャンネル設定時に使用しないリモコン装置の操作キーを有効に利用することができる。
【００１８】
請求項４記載の発明に係る放送受信装置によれば、チャンネル設定時に、音声出力のＯＮ／ＯＦＦの切り換えを指令する音声切換指令手段が操作される毎に、出力回路を制御して、音声出力のＯＮ／ＯＦＦを交互に切り換えるようにしているので、スーパーインポーズ画面で音声出力をＯＦＦに切り換え、或いはブルーバック画面で音声出力をＯＮに切り換えることができる。
【００１９】
請求項５記載の発明に係る放送受信装置によれば、チャンネル設定時に使用しない操作キーをユーザが任意に音声切換キーに設定できるようにしているので、チャンネル設定時に使用しないリモコン装置の操作キーを有効に利用することができる。
【発明を実施するための最良の形態】
【００２０】
以下、適宜図面を参照しながら本発明を実施するための最良の形態を詳述する。図１は本発明の一実施例の放送受信装置の構成を示すブロック図であり、図２は本発明の一実施例の放送受信装置のリモコン装置を示す説明図であり、図３は本発明の一実施例の放送受信装置の操作キーの設定画面を示す説明図であり、図４は本発明の一実施例の放送受信装置の画面表示例を示す説明図であり、図５は本発明の一実施例の放送受信装置の動作を示すフローチャートである。
【００２１】
まず、図１の本発明の一実施例の放送受信装置の構成を示すブロック図を基に説明する。
【００２２】
放送受信装置１０は、アンテナ１８により受信された電波から選択されたチャンネルのテレビ放送を受信するチューナ１１と、チューナ１１により受信されたテレビ放送の映像音声信号を検波して増幅する検波増幅回路１２と、検波増幅回路１２により検波増幅された映像音声信号を増幅して出力する出力回路１３と、出力回路１３により出力された映像信号に文字情報信号を重畳して文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路１４と、放送受信装置１０のシステム全体を制御するマイコン１５と、テレビ放送の受信チャンネル等の各種設定データを記憶する不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ‐Ｏｎｌｙ  Ｍｅｍｏｒｙ）１６と、リモコン装置２０から送信された赤外線信号のリモコン信号を受信して、所定の電気信号に変換するリモコン受信部１７とで構成されている。
【００２３】
また、図２は本発明の一実施例の放送受信装置のリモコン装置を示す説明図を基に説明する。
【００２４】
リモコン装置２０には、メニュ画面の表示を指令するメニュキー２０ａ、メニュ画面に表示された項目を選択するカーソルキー２０ｂ、カーソルキー２０ｂにより選択された項目の設定を決定する決定キー２０ｃ、テレビ放送を受信するチャンネルを選択するテンキー２０ｄ等の複数の操作キーが設けられていて、それらの操作キーを操作することにより放送受信装置１０を所望動作させることができるようになっている。
【００２５】
以上のように構成された放送受信装置について、以下その動作について説明する。
【００２６】
リモコン装置２０の操作キーが操作されると、操作された操作キーのリモコン信号がリモコン装置２０から赤外線信号のリモコン信号として送信され、リモコン受信部１７により受信され、所定の電気信号に変換されてマイコン１５に送出される。マイコン１５は、メニュ画面の表示を指令するメニュキー２０ａのリモコン信号を受信すると、文字情報信号と制御信号とをＯＳＤ回路１４に送出して、モニタ装置３０の画面にメニュ画面を表示する（図示せず）。そして、リモコン装置２０のカーソルキー２０ｂの操作によりメニュ画面に表示された操作キーの設定が選択されると、マイコン１５は、操作キーの設定画面を表示する（図３参照）。ユーザは、カーソルキー２０ｂを操作してスーパーインポーズ画面とブルーバック画面との切り換えを指令する画面切換キーの設定と、音声出力のＯＮ／ＯＦＦを指令する音声切換キーの設定とを選択して、リモコン装置２０に設けられた受信チャンネルを選択するテンキー２０ｄ以外のチャンネル設定時に使用しない操作キーを操作して、画面切換キーと音声切換キーとを任意に設定する。画面切換キーの設定が選択されてチャンネル設定時に使用しない操作キーが操作され、音声切換キーの設定が選択されてチャンネル設定時に使用しない他の操作キーが操作されると、マイコン１５は、操作された操作キーをＥＥＰＲＯＭ１６に記憶する。
【００２７】
リモコン装置２０のカーソルキー２０ｂと決定キー２０ｃとの操作によりメニュ画面（図示せず）のチャンネル設定の自動選局が選択されると、マイコン１５は、文字情報信号と制御信号とをＯＳＤ回路１４に送出して、モニタ装置３０の画面３０ａにチャンネル設定画面を表示し（図４参照）、チューナ１１に制御信号を送出してテレビ放送を受信するチャンネルを順次切り換え、検波増幅回路１２から送出された映像信号の同期信号の有無を検出して、映像信号の同期信号が有であるチャンネルをＥＥＰＲＯＭ１６に記憶して、テレビ放送を受信するチャンネルを設定する。
【００２８】
また、リモコン装置２０のカーソルキー２０ｂと決定キー２０ｃとの操作によりメニュ画面（図示せず）のチャンネル設定の手動選局が選択されると、マイコン１５は、文字情報信号と制御信号とをＯＳＤ回路１４に送出して、モニタ装置３０の画面にチャンネル設定画面を表示する（図示せず）。この場合、ユーザは、リモコン装置２０のテンキー２０ｄを操作して、テレビ放送を受信するチャンネルを手動で設定する。テレビ放送を受信するチャンネルが設定されると、マイコン１５は、ユーザが設定したチャンネルをＥＥＰＲＯＭ１６に記憶する。
【００２９】
チャンネル設定時に、予め設定されたリモコン装置２０の画面切換キーが操作されると、マイコン１５は、モニタ装置３０の画面がスーパーインポーズ画面になっているか、ブルーバック画面になっているかを判別して、画面がスーパーインポーズ画面になっている場合（図４（ａ）参照）、ＯＳＤ回路１４に制御信号を送出して、青色背景Ｃを表示する青色背景信号に文字情報Ｂを表示する文字情報信号を重畳してブルーバック画面に切り換える（図４（ｂ）参照）。また、画面がブルーバック画面になっている場合（図４（ｂ）参照）、マイコン１５は、ＯＳＤ回路１４に制御信号を送出して、映像Ａを表示する映像信号に文字情報Ｂを表示する文字情報信号を重畳してスーパーインポーズ画面に切り換える（図４（ａ）参照）。
【００３０】
チャンネル設定時に、予め設定されたリモコン装置２０の音声切換キーが操作されると、マイコン１５は、音声出力がＯＮになっているか、ＯＦＦになっているかを判別して、音声出力がＯＮになっている場合、出力回路１３に制御信号を送出して、音声出力をＯＦＦにする。また、音声出力がＯＦＦになっている場合、マイコン１５は、出力回路１３に制御信号を送出して、音声出力をＯＮにする。
【００３１】
そして、チャンネル設定が終了すると、マイコン１５は、モニタ装置３０の画面３０ａがブルーバック画面になっている場合、ＯＳＤ回路１４に制御信号を送出して、スーパーインポーズ画面に切り換え、音声出力がＯＦＦになっている場合、出力回路１３に制御信号を送出して、音声出力をＯＮにする。
【００３２】
また、図５の本発明の一実施例の放送受信装置の動作を示すフローチャートを基に説明する。
【００３３】
テレビ放送を受信するチャンネル設定が開始されると、ステップＳ１からステップＳ２に進み、ステップＳ２で、予め設定された画面切換キーが操作されたか否かが判断され、予め設定された画面切換キーが操作された場合、ステップＳ３に進み、予め設定された画面切換キーが操作されていない場合、ステップＳ６に進む。
【００３４】
ステップＳ３で、表示画面がブルーバック画面になっているか否かが判断され、表示画面がブルーバック画面になっている場合、ステップＳ４に進み、表示画面がブルーバック画面になっていない場合、ステップＳ５に進む。
【００３５】
ステップＳ４で、ＯＳＤ回路に制御信号が送出されて、表示画面がスーパーインポーズ画面に切り換えられ、ステップＳ６に進む。
【００３６】
ステップＳ５で、ＯＳＤ回路に制御信号が送出されて、表示画面がブルーバック画面に切り換えられ、ステップＳ６に進む。
【００３７】
ステップＳ６で、予め設定された音声切換キーが操作されたか否かが判断され、予め設定された音声切換キーが操作された場合、ステップＳ７に進み、予め設定された音声切換キーが操作されていない場合、ステップＳ１０に進む。
【００３８】
ステップＳ７で、音声出力がＯＦＦになっているか否かが判断され、音声出力がＯＦＦになっている場合、ステップＳ８に進み、音声出力がＯＦＦになっていない場合、ステップＳ９に進む。
【００３９】
ステップＳ８で、出力回路に制御信号が送出されて、音声出力がＯＮにされ、ステップＳ１０に進む。
【００４０】
ステップＳ９で、出力回路に制御信号が送出されて、音声出力がＯＦＦにされて、ステップＳ１０に進む。
【００４１】
ステップＳ１０で、テレビ放送を受信するチャンネルの選局が終了したか否かが判断され、テレビ放送を受信するチャンネルの選局が終了した場合、ステップＳ１１に進み、テレビ放送を受信するチャンネルの選局が終了していない場合、ステップＳ２に戻って、ステップＳ２からのステップを繰り返す。
【００４２】
ステップＳ１１で、ＯＳＤ回路に制御信号が送出されて、表示画面がスーパーインポーズ画面に切り換えられ、出力回路に制御信号が送出されて、音声出力がＯＮにされ、ステップＳ１２に進んで処理を終了する。
【００４３】
以上、本発明を実施するための最良の形態について詳述したが、本発明はこれに限らず、当業者の通常の知識の範囲内でその変形や改良が可能である。例えば、リモコン装置に設けられた操作キーの操作によりチャンネル設定時に表示画面をスーパーインポーズ画面とブルーバック画面とを切り換え、音声出力をＯＮ／ＯＦＦすることを説明したが、放送受信装置の操作パネルに設けられた操作キーの操作によりチャンネル設定時に表示画面をスーパーインポーズ画面とブルーバック画面とを切り換え、音声出力をＯＮ／ＯＦＦするようにしてもよい。
【図面の簡単な説明】
【００４４】
【図１】本発明の一実施例の放送受信装置の構成を示すブロック図である。
【図２】本発明の一実施例の放送受信装置のリモコン装置を示す説明図である。
【図３】本発明の一実施例の放送受信装置の操作キーの設定画面を示す説明図である。
【図４】本発明の一実施例の放送受信装置の画面表示例を示す説明図である。
【図５】本発明の一実施例の放送受信装置の動作を示すフローチャートである。
【符号の説明】
【００４５】
１０  放送受信装置
１１  チューナ
１２  検波増幅回路
１３  出力回路
１４  ＯＳＤ回路
１５  マイコン
１６  ＥＥＰＲＯＭ
１７  リモコン受信部
１８  アンテナ
２０  リモコン装置
２０ａ  メニュキー
２０ｂ  カーソルキー
２０ｃ  決定キー
２０ｄ  テンキー
３０  モニタ装置
３０ａ  画面
【図１】
2005073192.tif 000003
【図２】
2005073192.tif 000004
【図３】
2005073192.tif 000005
【図４】
2005073192.tif 000006
【図５】
2005073192.tif 000007